(57)【要約】【課題】    作業効率よく、且つ、作業中における作業員の危険を可及的に無くしながら、港湾、河川、水路、湖沼等に浮遊している浮遊物を除去することによって、港湾、河川、水路、湖沼等を清浄化できるようにした浮遊物の集塵システムを提供する。【解決手段】  集塵カゴ４は集塵口を有し、前記集塵カゴはクレーン１に吊り下げて操作し集塵カゴ４の一部又は全部が水没した状態で、縦横無尽に移動して水流を前記集塵カゴ４の集塵口から集塵カゴ４内に導入することで水に浮遊している前記浮遊物を集塵カゴで濾し採るように集塵するものである。【選択図】図１
2010037827.tif 000002
【特許請求の範囲】
【請求項１】
移動式クレーンで吊り下げ可能な集塵カゴ内に水流を導入して、水に浮遊している浮遊物を該集塵カゴで濾し採るように集塵して除去することで水を清浄する浮遊物の集塵システムであって、
前記集塵カゴは集塵口を有し、移動式クレーンに吊り下げ操作して前記集塵カゴの一部又は全部が水没した状態で、縦横無尽に移動して水流を前記集塵カゴの集塵口から集塵カゴ内に導入することで水に浮遊している前記浮遊物を集塵カゴで濾し採るように集塵することを特徴とする浮遊物の集塵カゴ及びそれを使用した集塵システム。
【請求項２】
集塵カゴの左右側面部と後方側面部との間がつなぎ部材で連結されることで、該左右側面部が左右方向へ開閉可能であることを特徴とする請求項１に記載の浮遊物の集塵カゴ及びそれを使用した集塵システム。
【請求項３】
前記集塵カゴは、前記移動式クレーンで引かれた際の水中での抵抗体となる方向舵を備え、集塵カゴが該方向舵により方向変換可能であることによって、集塵カゴは、前記移動式クレーンに引かれた際に集塵口を進行方向へ向けて移動することが可能となり、該集塵口から水流を集塵カゴ内に導入して浮遊物を濾し採るように集塵することを特徴とする請求項１又は請求項２に記載の浮遊物の集塵カゴ及びそれを使用した集塵システム。
【請求項４】
前記集塵カゴには、前記集塵カゴの水没の深さを調節するためのフロートが設けられていることを特徴とする請求項１乃至請求項３のいずれか１項に記載の浮遊物の集塵カゴ及びそれを使用した集塵システム。
【請求項５】
前記集塵カゴ内に集塵されている浮遊物を集塵箱に排出するため前記集塵カゴを傾斜させるための装置として集塵カゴに設けられた引っ掛かり部と集塵箱に設けられた引っ掛かり受部からなる傾斜装置が備えられていることを特徴とする請求項１乃至請求項４のいずれか１項に記載の浮遊物の集塵カゴ及びそれを使用した集塵システム。
【請求項６】
前記集塵カゴには、カゴを傾斜させるための引っ掛かり部と引っ掛かり受部の双方を備えた傾斜用スタンドが脱着可能又は収納可能に備えられていることを特徴とする請求項１乃至請求項４のいずれか１項に記載の浮遊物の集塵カゴ及びそれを使用した集塵システム。
【発明の詳細な説明】
【技術分野】
【０００１】
本発明は、港湾、ダム湖、河川、湖沼等の水に浮遊している浮遊物を集塵して除去することで、港湾、ダム湖、河川、湖沼等の水を清浄化できるようにした浮遊物の集塵カゴ及びそれを使用した集塵システムに関するものである。
【背景技術】
【０００２】
港湾、ダム湖、河川等の水面に浮遊している塵埃等の浮遊物は、一般的に以下のように処理されている。
Ａ．パワーショベルを船に搭載し、該パワーショベルで浮遊物を掬い上げるようにして船に集塵したり、又は人力によって浮遊物を船に集塵した後、浮遊物を所定の箇所まで運搬して処理するといった、いわゆる、水面清掃船方法。
Ｂ．水面上に索道を張って該索道に集塵カゴを取り付け、ボートに乗った作業員が人力で水面に浮遊している浮遊物をボート上に拾い集めて運んで、該浮遊物を該集塵カゴに積み込み、該集塵カゴを索道で引き上げることによって、浮遊物を所定の箇所に集めるといった、いわゆる、索道方法。
Ｃ．河川、水路、湖等に浮遊している浮遊物を下流へ流さないようにするために、網目構造のスクリーンを河川、水路、湖等の取水口、排水口に設置して浮遊物をスクリーンに集塵し、集塵された浮遊物を人力によって引き上げて搬出処理をするといった、いわゆる、スクリーンによる方法。
【発明の開示】
【発明が解決しようとする課題】
【０００３】
しかし、前述した背景技術においては以下の問題があった。前述のＡに記載の水面清掃船方法においては、船に集塵した浮遊物を降ろすことのできる港が限られている。このために、集塵作業を実施した場所が、当該港から遠い場所である場合には、集塵した浮遊物を当該港まで運ぶための運搬に相当の時間が費やされていた。特に、広大な湖や港湾では、場合によって、浮遊物を集塵するための時間よりも運搬に費やされる時間の方が長く、そのための作業効率の悪さや、運搬に費やされる大量の燃料が作業コストを引き上げる原因となっていた。更に、水面清掃船が高額で、又、維持費にも多額を要することも、実施上、大きな問題であった。
【０００４】
又、前述のＢに記載の索道方法においては、多くの場合、索道は湖等の一箇所にしか張られていないために、索道から離れた区域で集塵作業を行う場合には、浮遊物を拾い集めてボートに載せて索道まで運搬した後に、浮遊物をボートから索道のカゴに載せ替える作業が必要となるが、その作業は全て人力で行うために、作業効率が悪い上に、当該作業は人間がボートに乗った体勢で行わなければならないために、作業が危険であり、更には、寒い気候や厚い気候の中で行う場合には作業環境の悪化が問題になっていた。
【０００５】
更に、前述のＣに記載のスクリーンによる方法においては、スクリーンに集塵されている浮遊物をスクリーンから除去する作業を行うためには、作業員が水中に入らなければならず、その際に、作業員が取水口や排水口に吸い込まれる危険があった。又、作業員が作業中に水圧でスクリーンに押し付けられて身動きができない状態になる場合があって危険であった。
【０００６】
又、特許文献１には、水面清掃船における塵芥かご底扉開閉装置に関する発明が開示されている。しかし、当該文献１に記載の発明は、水面清掃船用塵芥かごの底扉の開閉を半自動的に行えるようにすることを課題とする発明であって、前述した背景技術の問題を解決する発明ではない。
【０００７】
又、特許文献２には、水面清掃船集塵篭の底扉緩衝装置に関する発明が開示されている。しかし、当該文献２に記載の発明は、水面清掃船の集塵篭の底扉の開放衝撃を緩衝することを課題とした発明であって、前述した背景技術の問題を解決する発明ではない。
【０００８】
【特許文献１】特開平１０−１０９６８８号公報
【特許文献２】特開平１１−０２０７８２号公報
【０００９】
そこで、本発明は、前述した背景技術の問題を解決するためになされたもので、その目的は、作業効率よく、且つ、作業中における作業員の危険を可及的に無くしながら、港湾、河川、水路、湖沼等に浮遊している浮遊物を除去することによって、港湾、河川、水路、湖沼等を清浄化できるようにした浮遊物の集塵システムを提供することを目的とするものである。
【課題を解決するための手段】
【００１０】
請求項１に記載の発明は、移動式クレーンで吊り下げ可能な集塵カゴ内に水流を導入して、水に浮遊している浮遊物を該集塵カゴで濾し採るように集塵して除去することで水を清浄する浮遊物の集塵システムであって、
前記集塵カゴは集塵口を有し、前記集塵カゴはクレーンに吊り下げて操作し集塵カゴの一部又は全部が水没した状態で、縦横無尽に移動して水流を前記集塵カゴの集塵口から集塵カゴ内に導入することで水に浮遊している前記浮遊物を集塵カゴで濾し採るように集塵することを特徴とするものである。
【００１１】
請求項２に記載の発明は、請求項１に記載の発明において、集塵カゴの左右側面部と後方側面部との間がつなぎ部材で連結されることで、該左右側面部が左右方向へ開閉可能であることを特徴とするものである。
【００１２】
請求項３に記載の発明は、請求項１又は請求項２に記載の浮遊物の集塵システムにおいて、前記集塵カゴは、前記移動式クレーンで引かれた際の水中での抵抗体となる方向舵を備え、集塵カゴが該方向舵により方向変換可能であることによって、集塵カゴは、前記移動式クレーンに引かれた際に集塵口を進行方向に向けて移動することが可能となり、該集塵口から水流を集塵カゴ内に導入して浮遊物を濾し採るように集塵することを特徴とするものである。
【００１３】
請求項４に記載の発明は、請求項１乃至請求項３のいずれか１項に記載の浮遊物の集塵システムにおいて、前記集塵カゴには、前記集塵カゴの水没の深さを調節するためのフロートが設けられていることを特徴とするものである。
【００１４】
請求項５に記載の発明は、請求項１乃至請求項４の何れか１項に記載の浮遊物の集塵システムにおいて、前記集塵カゴを傾けて、該カゴ内に集塵されている浮遊物を集塵箱に排出するための傾斜装置が設けられていることを特徴とするものである。
【００１５】
請求項６に記載の発明は、請求項１乃至請求項４の何れか１項に記載の浮遊物の集塵システムにおいて、カゴを傾斜させるための引っ掛かり部と引っ掛かり受部とを備えた傾斜用スタンドが脱着可能又は収納可能に備えられていることを特徴とするものである。
【発明の効果】
【００１６】
請求項１に記載の発明によれば、移動式クレーンで集塵カゴを一部又は全部が水没した状態に吊り下げ、作業員の危険を無くし、該クレーンを操作して集塵カゴを縦横無尽に移動させることによって、水に浮遊している浮遊物を作業効率よく、且つ、安全に集塵することができる。
【００１７】
請求項２に記載の発明によれば、集塵カゴの左右側面部が左右へ開閉可能であるために、左右側面部を左右へ広げることで、広い範囲に亘って浮遊している浮遊物を集塵することができる。
【００１８】
請求項３に記載の発明によれば、集塵カゴは方向舵を備えているために、クレーンに引かれた際に、該集塵カゴの集塵口を常に進行方向へ向けて移動移動することができる。
【００１９】
請求項４に記載の発明によれば、集塵カゴの水没の深さを調節することができるので、集塵作業がクレーンのオペレータの技量に左右されにくくなった。
【００２０】
請求項５に記載の発明によれば、集塵カゴを集塵箱の上方で傾斜させて、集塵カゴ内の浮遊物を集塵箱内へ排出することができるので、排出の都度、ワイヤロープを外したり、付けたりする人力作業を省略することができることとなった。
【００２１】
請求項５に記載の発明によれば、集塵カゴの引っ掛かり部を集塵箱の引っ掛かり受部に引っ掛けることで、集塵カゴを集塵箱の上方で傾斜させて集塵カゴ内の浮遊物を集塵箱内へ排出することができる。
【００２２】
請求項６に記載の発明によれば、集塵カゴを傾斜させるための傾斜用スタンドを備えたため、集塵箱に引っ掛かり受部が無くてもカゴを傾斜することが可能となり、地上など任意の場所で排出することができるので、効率よく集塵作業を実行することができる。
【発明を実施するための最良の形態】
【００２３】
図１、図２は、本実施形態に係る浮遊物の集塵方法の全体を概念的に示す図である。図１は側方から観た状態を概念的に示す図である。図２はクレーン１の上方から下方を見下ろした状態を概念的に示す図である。尚、クレーン１としては、移動式クレーンを用いることが可能であるが、以下の説明では、単に、クレーン１として説明する。ここで、移動式クレーンとは、動力をもって荷をつり上げ、これを水平に運搬することを目的とする機械装置をいい、クレーン等安全規則においては、原動機を内蔵し、かつ、不特定の場所に移動させることができるものであると規定されている。又、つり上げ荷重が０．５トンの移動式クレーンはクレーン等安全規則の適応を受けないため、クレーン等安全規則上、つり上げ荷重が０．５トン未満のものは移動式クレーンには該当しないが、本考案ではクレーンとして扱うこととする。
【００２４】
前記クレーン１のブーム２は、長さ方向（矢示Ａ―Ｂ方向）へ伸長、及び短縮できると共に図２に示すように水平方向（矢示Ｃ―Ｄ方向）へ旋回できるものである。
【００２５】
クレーン１のブーム２の先端からは、吊下げロープ３が垂らされ、該吊下げロープ３の下端には集塵カゴ４が取り付けられている。
【００２６】
図３に示すように、該集塵カゴ４は、金網で形成された底面４Ａと、同じく金網で形成された三つの側面４Ｂ，４Ｃ、４Ｄとを備えた直方体で形成され、一つの側面は集塵口５として開放し、又、上面も開放した形態である。
【００２７】
該集塵カゴ４の上面の四隅には各一本の取付ワイヤ６の下端が取り付けられ、当該取付ワイヤ６の上端は前記吊下げロープ３の下端に接続されている。四本の取付ワイヤ６の長さを調節することで、集塵カゴ４は集塵口５を真横にした姿勢で前記吊下げロープ３の下端に連結されるものである。
【００２８】
該集塵カゴ４は、前記クレーン１のブーム２を水平方向へ旋回することで、該ブーム２に引かれて水平方向へ移動できるものである。
【００２９】
前記集塵カゴ４の後部には、前記集塵カゴ４が前記クレーン１のブーム２に引かれて水平方向へ移動する際に水中に没して抵抗体となる方向舵７が設けられている。該方向舵７は、従来から船舶に用いられている板状のものや、集塵カゴ４の後端から下方へ垂らされた錘によって形成することができる。
【００３０】
又、図３に示すように、前記集塵カゴ４の両側面４Ｂ、４Ｃには、フロート８が設けられている。該フロート８は該集塵カゴ４に対して浮力を与えるものであって、該フロート８の浮力や位置を調節することによって、集塵カゴ４の約半分程度が水没するようにすることが好ましい。
【００３１】
又、図１、図２、及び図４に示すように、前記クレーン１の近傍には、集塵箱９が設置されて、前記集塵カゴ４に集塵された浮遊物を排出できるようになっている。
【００３２】
そして、前記集塵カゴ４を前記集塵箱９の上方において傾けることで前記集塵カゴ４内に集塵されている浮遊物を集塵カゴ４の集塵口５から該集塵箱９内に排出するものであって、これら集塵カゴ４、及び集塵箱９には、図５に示すように、該集塵箱９の上方で該集塵カゴを傾けるための傾斜装置１０が設けられている。
【００３３】
図５に示すように、前記傾斜装置１０は、前記集塵カゴ４に設けられた引っ掛かり部１１と、前記集塵箱９に設けられた引っ掛かり受部１２とから構成され、該引っ掛かり部１１を該引っ掛かり受部１２に引っ掛けて、前記集塵口５を下方へ向けるように集塵カゴ４を図５中、矢示方向Ｅへ傾斜させるように構成することができる。ここで、前記引っ掛かり部１１が、図３、図４に示すように、集塵カゴ４の集塵口５から観て両側面４Ｂ，４Ｃの中心より後方、即ち、集塵カゴ４の重心より後方に設けられていることによって、図５に示すように、引っ掛かり部１１を該引っ掛かり受部１２に引っ掛けることで、集塵カゴ４の自重によって集塵口５が下方へ向くように集塵カゴ４を図５中、矢示方向Ｅへ傾斜させることができるものである。
【００３４】
同図５に示すように、引っ掛かり部１１は、側面から観て略Ｌ字形のカギ状に形成されることができる。この場合、該引っ掛かり部１１は、集塵カゴ４の互いに対向する両側面４Ｂ（４Ｃ）に上下方向（矢示Ｆ−Ｇ方向）へ回転自在に設けられることで、使用時には、同図５に示すように下方に回転して該集塵カゴ４の底面４Ａより下方へ突出し、不使用時には上方へ回転して、底面４Ａより下方へ突出しないように、収容させるように設けることができる。又、集塵カゴ４の両側面４Ｂ（４Ｃ）には、前記引っ掛かり部１１の下方への過度の回転を制限するストッパ１３が設けられている。
【００３５】
引っ掛かり部１１が前述の形態に形成された場合、図５に示すように、前記引っ掛かり受部１２は、集塵箱９から水平方向へ棒状に突出した形状に形成される。そして、同図５に示すように、集塵カゴ４の引っ掛かり部１１を集塵箱９の引っ掛かり受部１２に引っ掛けて、集塵カゴ４の集塵口５が下方を向くように該集塵カゴ４を矢示Ｅ方向へ傾けることができる構成になっている。
【００３６】
次に、作用について説明する。港湾、ダム湖、河川等の水面に浮遊している塵埃等の浮遊物Ｈは、水流や風向き等の影響を受けて、湖岸、川岸等の岸辺Ｋの近くの特定の区域に集まって浮遊している場合が多い。
【００３７】
そして、このように、浮遊物Ｈが集まっている区域の近傍の岸辺Ｋにクレーン１を設置する。又、クレーン１の近傍に集塵箱９を設置する。
【００３８】
次に、クレーン１のブーム２から吊下げロープ３を垂らし、吊下げロープ３の下端に、集塵カゴ４の取付ワイヤ６を連結することによって、該吊下げロープ３に集塵カゴ４を水平に取り付ける。
【００３９】
次に、図１に示すように、クレーン１を操作して浮遊物Ｈが集まっている区域の水面へ向けて伸長させると共に集塵カゴ４の約半分が水に没するように集塵カゴ４を水に浸す。この際、クレーン１のブーム２を伸ばしたり、縮めたりしてブーム２の長さを調節することで、集塵カゴ４を所望の場所に着水させる。
【００４０】
次に、図２に示すように、クレーン１のブーム２を水平方向（例えば、矢示Ｃ方向）に旋回させると、集塵カゴ４はブーム２に矢示Ｃ方向へ引かれて移動するものであるが、図３中、二点鎖線で示すように、仮に、集塵カゴ４の集塵口５が、矢示方向Ｃとは異なった方向を向いているとする。この場合、集塵カゴ４の後部には方向舵７が設けられていることで該集塵カゴ４の後部側の抵抗が大きくなっているために、集塵カゴ４は方向舵７を中心に図３中、矢示Ｊ方向へ回転することによって、同図３中、実線で示すように、集塵口５は矢示Ｃ方向を向く。その結果、集塵カゴ４は、集塵口５を先頭にした状態でブーム２に引かれて移動することになる。
【００４１】
そして、集塵カゴ４が、水面を移動する際に該集塵カゴ４の集塵口５内に水流が導入されると共に水に浮遊している浮遊物Ｈが該集塵カゴ４内に導入されて集塵カゴ４で濾し採られるようにして集塵カゴ４内に集塵される。
【００４２】
次に、クレーン１の吊下げロープ３を巻き上げ、該ブーム２を旋回させることで、図４に示すように、集塵カゴ４を集塵箱９の上方に位置させる。
【００４３】
次に、作業員が、同図４に示すように、方向舵の役目をするロープＮを操って、図５に示すように、該集塵カゴ４の引っ掛かり部１１を、集塵箱９の引っ掛かり受部１２に引っ掛ける。
【００４４】
そして、クレーン１の吊下げロープ３を下げると、前述のように、集塵カゴ４の重心が、引っ掛かり部１１よりも前側に位置するために、集塵カゴ４を吊った後方の取付ワイヤ６がゆるみ、集塵口５側（前側）の取付ワイヤ６のみが効いた状態で徐々に下げることで、前記引っ掛かり受部１２を中心にして、該集塵カゴ４の集塵口５が下方を向いて該集塵カゴ４が傾き、該集塵カゴ４内に集塵されている浮遊物Ｈを集塵箱９内に落下させて、該浮遊物Ｈを集塵カゴ４内から排出して、集塵カゴ４内を空にする。
【００４５】
以上の作業を繰り返すことによって、港湾、ダム湖、河川等の水面に浮遊している塵埃等の浮遊物Ｈが港湾、ダム湖、河川等から除去されて港湾、ダム湖、河川等の水が清浄化される。
【００４６】
そして、集塵箱９が満杯になった場合には、該集塵箱９を所定の場所に運び、該集塵箱９内に堆積している浮遊物Ｈを処理する。
【００４７】
以上説明したように、本実施形態によれば、岸辺Ｋに、クレーン１を設置し、クレーン１の吊下げロープ３の下端に集塵カゴ４を吊り下げ、該集塵カゴ４を水面上を水平方向へ引っ張って、水面上に浮遊している浮遊物Ｈを該集塵カゴ４内に集塵し、集塵した浮遊物Ｈを直ちに集塵箱９に集めることができるために、水に浮遊している浮遊物Ｈを安全に、且つ、作業効率良く集塵できることによって、背景技術の問題点を一挙に解決することができる。又、仮に、傾斜装置１０を設けていない場合には、集塵カゴ４内の浮遊物を集塵箱９へ排出する都度、集塵カゴ４の集塵口５側（前側）の取付ワイヤ６を外して、後方側の取付ワイヤ６で集塵カゴを吊り下げて傾斜させて排出した後、集塵カゴ４を地上に降ろし、集塵カゴ４の集塵口５側に再び取付ワイヤ６を繋いで集塵作業を行うという面倒な作業が必要であったが、本実施形態においては前述のように、傾斜装置１０を備えていることで、集塵カゴ４内の浮遊物を集塵箱９内へ排出する作業を容易に行うことができる。
【００４８】
図６は、傾斜装置の第２実施形態を示す。この第２実施形態は、前記第１実施形態の引っ掛かり部１１の変形例を示すものである。該引っ掛かり部１１は、集塵カゴ４の側面４Ｂ（４Ｃ）に固定された収容筒１４と、該収容筒１４から垂直方向へ出没自在に設けられた直状の棒体１５を備え、該収容筒１４内には圧縮ばね（図示せず）が設けられて、該棒体１５は収容筒１４から突出する方向へ常時付勢されている一方、該棒体１５は収容筒１４からの抜け落ちない構成になっている。
【００４９】
そして、この第２実施形態においては、図６に示すように、集塵カゴ４の棒体１５を集塵箱９の突状の引っ掛かり受部１２に引っ掛けることによって、集塵カゴ４が矢示Ｅ方向へ傾き、該集塵カゴ４の集塵口５が下方を向くように、該引っ掛かり受部１２を中心に集塵カゴ４を傾けることによって、集塵カゴ４内の浮遊物Ｈは集塵箱９内に排出される。
【００５０】
この第２実施形態においては、集塵カゴ４が仮に地面等に載置された場合には、棒体１５が収容筒１４内に入り込んで収容される。
【００５１】
図７は第３実施形態を示す。この第３実施形態の特徴は、引っ掛かり部１１の棒体１５が水平方向へ突出可能に設け、この棒体１５を集塵箱９の天端に載せることで、前述と同様に、該集塵カゴ４の集塵口５が下方を向くように傾くことによって、集塵カゴ４内の浮遊物Ｈは集塵箱９内に排出される。この第３実施形態においては、集塵カゴ４を集塵箱９の上方の任意の位置で矢示方向へ傾斜させて集塵カゴ４内の浮遊物を集塵箱９内に排出させることができる。
【００５２】
図８は、傾斜装置１０の引っ掛かり部の第４実施形態を示す。この第４実施形態の特徴は、引っ掛かり部として、集塵カゴ４に、切り欠け部１６を設けた点にある。該切り欠け部１６は、集塵箱９の引っ掛かり受部１２が入り込む形状に切り欠かれて形成されている。該切り欠け部１６には、前記引っ掛かり受部１２を該切り欠け部１６に導くためのガイド部１７が連設されている。図８中、一点鎖線で示すように、集塵箱９の引っ掛かり受部１２が、集塵カゴ４のガイド部１７に当たるように、集塵カゴ４を集塵箱９の上方に位置させた後に、該集塵カゴ４を矢示Ｍ方向へスライドさせることによって、同図８中、実線で示すように、前記引っ掛かり受部１２が集塵カゴ４の切り欠け部１６に嵌り込むことができる。このように、集塵箱９の引っ掛かり受部１２が集塵カゴ４の切り欠け部１６に嵌り込むことによって、集塵カゴ４は集塵箱９の引っ掛かり受部１２を中心に傾くことができて、集塵カゴ４内に集塵されている浮遊物Ｈを集塵口５から集塵箱９内に排出することができる。
【００５３】
図９（Ａ）、（Ｂ）は、傾斜装置１０の第５実施形態を示す。図９（Ａ）は斜視図を示し、図９（Ｂ）は側面図を示す。この傾斜装置１０は、引っ掛かり部と引っ掛かり受部とを合わせ備えたものであり、スタンドタイプに形成されている。この傾斜装置１０は、集塵カゴ４の底面４Ａに設けられた軸受１８、１８に回転自在に支持された回転軸１９と、該回転軸１９に連設されて集塵箱９の縁９Ａに載せることのできる形状の支持部３８、３８とから構成される。該回転軸１９は、集塵カゴ４の重心Ｗよりも後方に設けることによって、集塵カゴ４の集塵口５が斜め下方を向き易いようにし、しかも、該重心Ｗが支持部３８の前端３８Ａと後端３８Ｂとの間に位置することとする。該重心Ｗが支持部３８の前端３８Ａと後端３８Ｂとの間に位置することによって、図９（Ｃ）に示すように、集塵カゴ４が前のめりに転倒する事態を防止することができる。図９（Ｃ）は、重心Ｗが集塵カゴ４の前端３８Ａよりも前側に位置する場合を示す。
【００５４】
そして、このように構成された第５実施形態においては、図９（Ａ）に示すように、支持部３８を集塵箱９の縁９Ａに載せる。次に、クレーンの吊下げロープ３を下げることによって、後方の取付ワイヤ６のみがゆるんで、集塵口３５側の取付ワイヤ６のみが効いた状態で吊下げロープ３を下げることで、集塵カゴ４の集塵口５が下方を向くように集塵カゴ４を傾けて、集塵カゴ４内に集塵されている浮遊物Ｈを集塵箱９内に排出することができる。
【００５５】
図１０は、傾斜装置１０の第６実施形態を示す。この傾斜装置１０は前記第１実施形態の変形例であって、移動式の引っ掛かり受部１２として取付部２０にローラＲを設け、該ローラＲが集塵箱９の縁９Ａの上面を走行できるようにすることによって、集塵カゴ４を集塵箱９の任意の位置に移動させることができるようになっている。この第６実施形態においては、集塵カゴ４を移動させることによって、該集塵カゴ４から集塵箱９内に排出される浮遊物Ｈは、集塵箱９内の一箇所に偏って堆積することなく、集塵箱９内の広い範囲に亘って一様に堆積することができる。
【００５６】
図１１は、第７実施形態を示す。この第７実施形態の特徴は、集塵カゴ４の底面４Ａが開閉扉２１、２１で形成されている点にある。該集塵カゴ４内に浮遊物Ｈを集塵する際には、図１１（ｂ）に示すように、当該開閉扉２１、２１を閉じた状態で使用し、一方、該集塵カゴ４内の浮遊物Ｈを排出する際には、図１１（ａ）に示すように、当該開閉扉２１、２１を例えば手で開けて、該集塵カゴ４の底面から浮遊物Ｈを一挙に落下させるように排出することができる。
【００５７】
以上の実施形態においては、方向舵７を錘によって構成したが、該方向舵７は集塵カゴ４が移動する際の抵抗体になるものであって、方向舵７は該錘以外に、例えば、板状、棒状、ロープ状、浮き状等、又はこれらの組み合わせを集塵カゴの後部に設けることによって構成することができる。
【００５８】
図１２は、第８実施形態を示す。この実施形態の特徴は、集塵カゴ４が、河川、水路、湖等の取水口に配置されると共に、集塵カゴ４の四隅には、取付ワイヤ６の下端が連結され、且つ、該取付ワイヤ６の上端が、クレーン１のブーム２から垂らされた吊下げロープ３の下端に連結可能に構成されることによって、該集塵カゴ４がクレーン１によって吊下げ可能になっている点にある。
【００５９】
又、集塵カゴ４には、第１実施形態と同様な形態の引っ掛かり部１１が設けられ、該引っ掛かり部１１が集塵箱９の引っ掛かり受部１２に引っ掛かることによって、集塵カゴ４が集塵箱９の上方で傾いて集塵カゴ４内の浮遊物Ｈが集塵箱９内に排出される点については第１実施形態と同様である。
【００６０】
この第８実施形態においては、河川、水路、湖等の取水口に集塵カゴ４を設置し、該取水口を流れる水流を集塵カゴ４内に導き、水流に乗って流れる浮遊物Ｈを集塵カゴ４で濾し採るようにして集塵して水を清浄化することができる。そして、集塵カゴ４内に集塵された浮遊物Ｈは第１実施形態と同様に集塵箱９内に排出することができる。
【００６１】
図１３乃至図１８は、第９実施形態を示す。この第９実施形態の特徴は、集塵カゴ４が底面部３１と、互いに対向する二つの左右側面部３２、３２と、後方側面部３３とを有する略直方体状に形成され、前面と上面が開放した形態である。後方側面部３３の縦の寸法は、左右側面部３２の縦の寸法より低く形成されている。前記両左右側面部３２、３２と後方側面部３３との間には、つなぎ部材３４が連結されていることで、両左右側面部３２、３２を左右両側へ広がた場合でも開口しないように構成されている。両左右側面部３２、３２は、つなぎ部材３４が広がるようにして開く一方、つなぎ部材３４が内側へ畳まれるようにして閉じる構成になっている。両左右側面部３２、３２の上下の中心より下方に取付ワイヤ３５の下端が連結され、該取付ワイヤ３５の上端は吊下げロープ３の下端に連結されている。つまり、図１４、図１５に示すように、取付ワイヤ３５の下端の取付位置Ｐと前記側面部３２の上端との距離をＬ１とし、当該取付位置Ｐと前記側面部３２の下端との距離をＬ２とすると、Ｌ１＞Ｌ２の関係にある。
【００６２】
図１３に示すように、前記集塵カゴ４の底面部３１には、傾斜用スタンド３６が設けられている。該傾斜用スタンド３６は、集塵カゴ４の底面部３１に回転自在に設けられた回転軸（図示せず）と、該回転軸に連結した二つの脚部３７とを備え、該脚部３７の下端は、二股状の支持部３８になっている。該傾斜用スタンド３６は、前記回転軸を回転することで、集塵カゴ４の不使用時には、傾斜用スタンド３６は上方向へ回転して集塵カゴ４の側面に収容され、使用時には、下方向へ回転して図１３に示す状態になって使用できるようになっている。
【００６３】
次に、この第９実施形態の作用について説明する。図１４に示すように、集塵カゴ４を吊下げロープ３に吊り下げる。この際、集塵カゴ４は、両左右側面部３２が閉じた状態にある。次に、図１５は、集塵カゴ４が水中に沈んだ状態を示す。
【００６４】
次に、図１５の状態から、集塵カゴ４を引き上げると、取付ワイヤ３５の下端と側面部３２との取付位置Ｐが、側面部３２の縦方向の中心位置よりも下方であるために、該集塵カゴ４は、水の抵抗を受けることで、図１６に示すように、両左右側面部３２，３２が容易に開く。この状態で、集塵カゴ４を更に引き上げると、図１７に示すように、集塵カゴ４は、水面Ｓに表れると共に、水面Ｓに浮遊している浮遊物Ｈを両左右側面部３２，３２上に集塵する。
【００６５】
そして、吊下げロープ３を更に引き上げて取付ワイヤ３５を引き上げ、集塵カゴ４を水面Ｓの上方へ引き上げると、水の抵抗が無くなるために、図１８に示すように、集塵カゴ４の両左右側面部３２，３２が閉じることで、集塵カゴ４の内側に浮遊物Ｈを集める。
【００６６】
その後、集塵カゴ４を集塵箱の上位に移動させ、図９と同様に、集塵カゴ４を傾けて、集塵カゴ４内の集塵物を集塵箱内へ落下させる。
【００６７】
以後、当該作業を繰り返すことによって、水面に浮遊している浮遊物Ｈの除去作業を行うことができる。
【００６８】
尚、以上の説明では、傾斜用スタンド３６を収容可能に設けたが、必要に応じて、取付、取り外しできるように脱着可能に設けても良い。
【００６９】
又、移動式クレーンの従来の用い方は、つり上げた荷を水平方向へ運搬する作業のみであったが、本実施形態においては、移動式クレーン１に集塵カゴ４を吊下げ、当該集塵カゴ４を水面上を移動させることで、水面に浮遊している浮遊物Ｈを集塵カゴ４に集めた後、集塵カゴ４を運搬して、集塵カゴ４内に集塵されている浮遊物Ｈを集塵箱９へ排出するという一連の作業の中心に移動式クレーン１を配置することで、移動式クレーン１の新たな使用の手法を提供することができるものである。
【図面の簡単な説明】
【００７０】
【図１】クレーンのブームの先端に集塵カゴを取り付けた状態を側方から観た状態の概念図である。（第１実施形態）
【図２】クレーンのブームの先端に集塵カゴを取り付けた状態を上方から観た状態の概念図である。（第１実施形態）
【図３】集塵カゴが方向舵を中心に回転する状態を示す図である。（第１実施形態）
【図４】集塵カゴを集塵箱の上方に位置させた状態の図である。（第１実施形態）
【図５】傾斜装置の拡大図である。（第１実施形態）
【図６】傾斜装置の拡大図である。（第２実施形態）
【図７】傾斜装置の拡大図である。（第３実施形態）
【図８】傾斜装置の拡大図である。（第４実施形態）
【図９（Ａ）】傾斜装置の拡大図である。（第５実施形態）
【図９（Ｂ）】動作の説明図である。。（第５実施形態）
【図９（Ｃ）】動作の説明図である。。（第５実施形態）
【図１０】傾斜装置の拡大図である。（第６実施形態）
【図１１】第７実施形態を示す図である。
【図１２】第８実施形態を示す図である。
【図１３】集塵カゴの斜視図である。（第９実施形態）
【図１４】作用を示す図である。（第９実施形態）
【図１５】作用を示す図である。（第９実施形態）
【図１６】作用を示す図である。（第９実施形態）
【図１７】作用を示す図である。（第９実施形態）
【図１８】作用を示す図である。（第９実施形態）
【符号の説明】
【００７１】
１  クレーン
２  ブーム
３  吊下げロープ
４  集塵カゴ
５  集塵口
６  取付ワイヤ
７  方向舵
８  フロート
９  集塵箱
１０  傾斜装置
１１  引っ掛かり部
１２  引っ掛かり受部
３５  取付ワイヤ
３６  傾斜用スタンド
Ｈ  浮遊物
Ｓ  水の表面
【図１】
2010037827.tif 000003
【図２】
2010037827.tif 000004
【図３】
2010037827.tif 000005
【図４】
2010037827.tif 000006
【図５】
2010037827.tif 000007
【図６】
2010037827.tif 000008
【図７】
2010037827.tif 000009
【図８】
2010037827.tif 000010
【図９（Ａ）】
2010037827.tif 000011
【図９（Ｂ）】
2010037827.tif 000012
【図９（Ｃ）】
2010037827.tif 000013
【図１０】
2010037827.tif 000014
【図１１】
2010037827.tif 000015
【図１２】
2010037827.tif 000016
【図１３】
2010037827.tif 000017
【図１４】
2010037827.tif 000018
【図１５】
2010037827.tif 000019
【図１６】
2010037827.tif 000020
【図１７】
2010037827.tif 000021
【図１８】
2010037827.tif 000022